(57)【要約】【課題】従来の水耕栽培装置は設備が大掛かりであり、敷設が面倒であった。【解決手段】横向きに配置した二本以上のパイプ状の横通路と、夫々の横通路から上方に立設された二本以上のパイプ状の縦通路とを備え、縦通路の下端部は横通路を流れる栽培液が縦通路に流れ込むように横通路に連通し、縦通路は栽培容器本体からパイプが突設された植物栽培具を差込みできるように上端を開口し、横通路に栽培液を供給した。前記横通路をフレームの縦方向に間隔をあけて横向きに配置して、上下段の横通路を上段から下段へ栽培液を供給する連通路で連通し、最下段の横通路から栽培液を最上段の横通路へ循環させるポンプを備えた。縦長の支柱と、該支柱に二段以上設けられた栽培容器と、栽培容器に脱着可能な蓋と、上段の栽培容器から下段の栽培容器に栽培液を供給する供給路と、最下段から最上段へ栽培液を循環させるポンプと、ポンプを制御するタイマーとを備えた。【選択図】      図１
2004154084.tif 000002
【特許請求の範囲】
【請求項１】
横向きに配置された二本以上のパイプ状の横通路の夫々から立設された二本以上のパイプ状の縦通路に、栽培容器本体からパイプが突設され且つ内部に吸水材を入れた植物栽培具を差込んで、植物栽培具内の吸水材により横通路内の栽培液又は縦通路内の栽培液を吸水し、吸水した液体を植物栽培具内の植物に供給して植物を栽培することを特徴とする植物栽培方法。
【請求項２】
縦方向に間隔をあけて横向きに配置された二本以上のパイプ状の横通路の夫々から立設された二本以上のパイプ状の縦通路に、栽培容器本体からパイプが突設され且つ内部に吸水材を入れた植物栽培具を差込み、上段の横通路から下段の横通路へ栽培液を流し、最下段の横通路からの栽培液を最上段の横通路へ循環させ、前記植物栽培具内の吸水材により横通路内の栽培液又は縦通路内の栽培液を吸水し、吸水した液体を植物栽培具内の植物に供給して植物を栽培することを特徴とする植物栽培方法。
【請求項３】
縦長の支柱に縦方向に間隔をあけて二段以上設けられた栽培容器の受け孔に、栽培容器本体からパイプが突設され且つ内部に吸水材を入れた植物栽培具を差込み、上段の栽培容器から下段の栽培容器に栽培液を供給し、最下段の栽培容器の栽培液をモータにより最上段の栽培容器に循環させ、モータの駆動時刻及び駆動時間長をタイマーにより制御し、前記植物栽培具内の吸水材により栽培容器内の栽培液を吸水し、吸水した液体を植物栽培具内の植物に供給して植物を栽培することを特徴とする植物栽培方法。
【請求項４】
請求項１乃至請求項３のいずれかに記載の植物栽培方法において、植物栽培具内に入れた吸水材の下端部を植物栽培具より下方に突出させ、その下端部を横通路内の栽培液又は縦通路内の栽培液に浸して吸水材により栽培液を吸水し、吸水した液体を植物栽培具内の植物に供給して植物を栽培することを特徴とする植物栽培方法。
【請求項５】
横向きに配置された二本以上のパイプ状の横通路と、夫々の横通路から上方に立設された二本以上のパイプ状の縦通路とを備え、縦通路の下端部は横通路を流れる栽培液が縦通路に流れ込むように横通路に連通され、縦通路は栽培容器本体からパイプが突設された植物栽培具を差込みできるように上端が開口し、横通路に栽培液が供給されることを特徴とする植物栽培装置。
【請求項６】
フレームの縦方向に間隔をあけて横向きに配置された二本以上の横通路と、夫々の横通路から縦向き又は斜め縦向きに立設された二本以上の縦通路とを備え、上段の横通路と下段の横通路とが上段の横通路の栽培液を下段の横通路に供給する連通路で連通され、縦通路は栽培容器本体からパイプが突設された植物栽培具を差込みできるように上方開口に形成され、最下段の横通路からの栽培液を最上段の横通路へ循環させるポンプを備えたことを特徴とする植物栽培装置。
【請求項７】
縦長の支柱と、縦長の支柱に間隔をあけて二段以上設けられた栽培容器と、栽培容器に脱着可能な蓋と、上段の栽培容器から下段の栽培容器に栽培液を供給する供給路と、最下段の栽培容器の栽培液を最上段の栽培容器に循環させるポンプと、ポンプの駆動時刻及び駆動時間長を制御するタイマーとを備えたことを特徴とする植物栽培装置。
【請求項８】
フレームの縦方向に間隔をあけて横向きに配置された二本以上の横通路と、夫々の横通路から縦向き又は斜め縦向きに立設された二本以上の縦通路とを備え、上段の横通路と下段の横通路とが上段の横通路の栽培液を下段の横通路に供給する連通路で連通され、縦通路は容器本体からパイプが突設された植物栽培具を差込みできるように上方開口に形成され、最下段の横通路からの栽培液を最上段の横通路へ循環させるポンプを備えたことを特徴とする植物展示装置。
【請求項９】
縦長の支柱と、縦長の支柱に間隔をあけて二段以上設けられ栽培容器と、栽培容器に脱着可能な蓋と、上段の栽培容器から下段の栽培容器に栽培液を供給する供給路と、最下段の栽培容器の栽培液を最上段の栽培容器に循環するモータと、モータの駆動時刻及び駆動時間長を制御するタイマーとを備えたことを特徴とする植物展示装置。
【発明の詳細な説明】
【０００１】
【発明の属する技術分野】
本発明は土壌の代わりに栽培液を利用した植物栽培方法と、植物栽培装置及び植物展示装置に関するものである。
【０００２】
【従来の技術】
植物の栽培方法の一つとして栽培液を利用した水耕栽培方法があり、水栽栽培を行なうために水耕栽培装置がある。
【０００３】
【発明が解決しようとする課題】
従来の水耕栽培装置は設備が大掛かりであり、敷設が面倒であった。
【０００４】
【課題を解決するための手段】
本発明は簡易な方法で植物栽培が可能な植物栽培方法と、構造が簡潔で手軽に敷設可能な植物栽培装置と、植物を栽培しながら花屋の店先やイベント会場などで植物を展示することできる植物展示装置を提供することにある。
【０００５】
本件出願の請求項１の植物栽培方法は、横向きに配置された二本以上のパイプ状の横通路の夫々から立設された二本以上のパイプ状の縦通路に、栽培容器本体からパイプが突設され且つ内部に吸水材を入れた植物栽培具を差込んで、植物栽培具内の吸水材により横通路内の栽培液又は縦通路内の栽培液を吸水し、吸水した液体を植物栽培具内の植物に供給して植物を栽培する方法である。
【０００６】
本件出願の請求項２の植物栽培方法は、縦方向に間隔をあけて横向きに配置された二本以上のパイプ状の横通路の夫々から立設された二本以上のパイプ状の縦通路に、栽培容器本体からパイプが突設され且つ内部に吸水材を入れた植物栽培具を差込み、上段の横通路から下段の横通路へ栽培液を流し、最下段の横通路からの栽培液を最上段の横通路へ循環させ、前記植物栽培具内の吸水材により横通路内の栽培液又は縦通路内の栽培液を吸水し、吸水した液体を植物栽培具内の植物に供給して植物を栽培する方法である。
【０００７】
本件出願の請求項３の植物栽培方法は、縦長の支柱に縦方向に間隔をあけて二段以上設けられた栽培容器の受け孔に、栽培容器本体からパイプが突設され且つ内部に吸水材を入れた植物栽培具を差込み、上段の栽培容器から下段の栽培容器に栽培液を供給し、最下段の栽培容器の栽培液をモータにより最上段の栽培容器に循環させ、モータの駆動時刻及び駆動時間長をタイマーにより制御し、前記植物栽培具内の吸水材により栽培容器内の栽培液を吸水し、吸水した液体を植物栽培具内の植物に供給して植物を栽培する方法である。
【０００８】
本件出願の請求項４の植物栽培方法は、請求項１乃至請求項３のいずれかに記載の植物栽培方法において、植物栽培具内に入れた吸水材の下端部を植物栽培具より下方に突出させ、その下端部を横通路内の栽培液又は縦通路内の栽培液に浸して吸水材により栽培液を吸水し、吸水した液体を植物栽培具内の植物に供給して植物を栽培する方法である。
【０００９】
本件出願の請求項５の植物栽培装置は、横向きに配置された二本以上のパイプ状の横通路と、夫々の横通路から上方に立設された二本以上のパイプ状の縦通路とを備え、縦通路の下端部は横通路を流れる栽培液が縦通路に流れ込むように横通路に連通され、縦通路は栽培容器本体からパイプが突設された植物栽培具を差込みできるように上端が開口し、横通路に栽培液が供給されたものである。
【００１０】
本件出願の請求項６の植物栽培装置は、フレームの縦方向に間隔をあけて横向きに配置された二本以上の横通路と、夫々の横通路から縦向き又は斜め縦向きに立設された二本以上の縦通路とを備え、上段の横通路と下段の横通路とが上段の横通路の栽培液を下段の横通路に供給する連通路で連通され、縦通路は栽培容器本体からパイプが突設された植物栽培具を差込みできるように上方開口に形成され、最下段の横通路からの栽培液を最上段の横通路へ循環させるポンプを備えたものである。
【００１１】
本件出願の請求項７の植物栽培装置は、縦長の支柱と、縦長の支柱に間隔をあけて二段以上設けられ栽培容器と、栽培容器に脱着可能な蓋と、上段の栽培容器から下段の栽培容器に栽培液を供給する供給路と、最下段の栽培容器の栽培液を最上段の栽培容器に循環させるポンプと、ポンプの駆動時刻及び駆動時間長を制御するタイマーとを備えたものである。
【００１２】
本件出願の請求項８の植物栽培装置は、フレームの縦方向に間隔をあけて横向きに配置された二本以上の横通路と、夫々の横通路から縦向き又は斜め縦向きに立設された二本以上の縦通路とを備え、上段の横通路と下段の横通路とが上段の横通路の栽培液を下段の横通路に供給する連通路で連通され、縦通路は容器本体からパイプが突設された植物栽培具を差込みできるように上方開口に形成され、最下段の横通路からの栽培液を最上段の横通路へ循環させるポンプを備えたものである。
【００１３】
本件出願の請求項９の植物栽培装置は、縦長の支柱と、縦長の支柱に間隔をあけて二段以上設けられ栽培容器と、栽培容器に脱着可能な蓋と、上段の栽培容器から下段の栽培容器に栽培液を供給する供給路と、最下段の栽培容器の栽培液を最上段の栽培容器に循環するモータと、モータの駆動時刻及び駆動時間長を制御するタイマーとを備えたものである。
【００１４】
【発明の実施の形態】
（実施形態１）
本発明の植物栽培方法及び植物栽培装置の実施形態の一例を図１〜図３に基づいて説明する。図１の栽培装置は横向きに配置された二本以上のパイプ状の横通路１と、夫々の横通路１から上方に立設された二本以上のパイプ状の縦通路２とを備え、縦通路２の下端部は横通路１を流れる栽培液が縦通路２に流れ込むように横通路１に連通され、縦通路２は容器本体３からパイプ４が突設された植物栽培具５を差込みできるように上端が開口している。
【００１５】
図１の夫々の横通路１は、多数本の直線パイプ６が連結パイプ７で連結されて形成され、多数本の横通路１は横向きに平行に配置されている。これら横通路１の上流側は図示されていない供給路に連結されて、供給路から常時、或いは随時、栽培液が供給されるようにしてある。横通路１の下流側は回収路に回収されて、横通路１を流れてきた栽培液がタンクに回収されるようにし、タンク内の栽培液はポンプにより前記供給路に供給され、そこから、各横通路１に循環されるようにしてある。
【００１６】
図１の連結パイプ７は両端に中央部８よりも大径の連結部９が形成され、連結部９の内側奥に突き当て部１４が形成されている。この連結部９に直線パイプ６を差し込み、直線パイプ６の先端が突き当て部１４に突き当たるまで差し込んで接着剤で固定してある。この連結パイプ７への直線パイプ６の差込み、接着の繰り返しにより長い横通路１を多数本形成してある。連結パイプ７の中央部８にも図２のように中央部８よりも大径の縦連結部１５が形成され、その内側奥に突き当て部１６が形成されている。この連結部９に直線パイプ６を差し込み、直線パイプ６の先端が突き当て部１４に突き当たるまで差し込んで接着剤で固定して、縦通路２を形成してある。縦通路２の上端は開口して差込口１２となっている。
【００１７】
本発明の植物栽培方法の一例は図１の植物栽培装置を使用して植物を栽培する。方法である。この場合、図１のように縦通路２の上端の差込口１２に植物栽培具５を図３のように差し込む。植物栽培具５は植木鉢の形状又はポットの形状をした栽培容器本体３とパイプ４とから構成されている。栽培容器本体３は周壁が上方に向けて外側広がりに形成され、上面が開口し、底面中央部に連通穴１３が開口され、その連通穴１３から下方にパイプ４が突設されている。栽培容器本体３の周壁のうち底寄りの部分は縦通路２の直径より径が小さくして、縦通路２内に差し込まれるようにしてあり、上端部寄りを段差を設けて栽培縦通路の外径よりも大きくしてある。このため図２のように、栽培容器本体３は段差部１０が縦通路２の開口部上縁に支持されるようにしてある。
【００１８】
図３の植物栽培具は栽培容器本体３とパイプ４とが一体に成形されているが、両者は別々に成形して、栽培容器本体３の底の連通穴１４にパイプ４を差し込むようにしても良い。この場合、パイプ４は所望本数連結することができ、連結する個々のパイプ４の長さや太さは任意とすることができる。容器本体３、パイプ４の材質は特に限定されないが、硬質樹脂製とすると成形し易い。
【００１９】
図１に示す植物栽培方法では、図３（ｂ）に示すように、容器本体３からパイプ４内にロックウール、ウレタン等の吸水性のある吸水材１１を入れておき、吸水材１１の下端部をパイプ４の下端より下方まで突出させ、その吸水材１１に植物を栽培し、その植物栽培具５を図４のように縦通路２の差込口１２から差し込んで縦通路２にセットし、吸水材１１の下端部を横通路１まで差し込んで、その下端部から横通路１内を流れる栽培液が吸水されて植物に供給されるようにする。
【００２０】
図４では吸水材１１の下端部を横通路１まで差し込んであるが、下端部は横通路１まで差し込まずに縦通路２内の下端までとし、通路に流す栽培液を多くしてその水位を縦通路２内まで高くして、下端部から栽培液が吸水されるようにすることもできる。
【００２１】
（実施形態２）
本発明の植物栽培方法と植物栽培装置の実施形態の第二の例を図５に基づいて説明する。図５の植物栽培装置は、上端が後方に傾斜する二本の前フレーム２１と、上端が前方に傾斜する二本の後フレーム２２とが、側面形状がＶ字形状になるように組み合わされて縦向きに立てることのできる縦長のフレーム２３が形成され、前フレーム２１の前面に二本以上のパイプ状の横通路１が上下に間隔をあけて横向きに配置され、夫々の横通路１から上方に二本以上の縦通路２が立設されている。夫々の縦通路２の下端部は横通路１に連通されて、横通路１を流れる栽培液が縦通路２に流れ込むようにしてある。縦通路２の上端は開口されて、植物栽培具を差込みできる差込口１２としてある。
【００２２】
図５の植物栽培装置は上段の横通路１の下流端の縦通路２と、下段の横通路１の上流端の縦通路２とがコ字状の連通路２４で連通されて、上段の横通路１の下流端の縦通路２に流れ込んだ液体が下段の横通路１の上流端の縦通路２に自動的に流れ込むようにしてある。この繰り返しにより、最上段の横通路１から最下段の横通路１まで自動的に液体が流れる。最下段の横通路１まで流れた液体は横通路１の終端出口から図示されていない容器に蓄えられ、ポンプにより容器から最上段の横通路１の入口に供給されて循環されるようにしてある。図５の植物栽培装置は花屋の店頭やイベント会場の入り口等に設置すれば、前記のように植物を栽培しながら植物展示装置として使用することができる。
【００２３】
本発明の植物栽培方法の第二の実施形態は、図５の植物栽培装置を使用して植物を栽培する方法である。この場合、図５のように個々の縦通路２の上端の差込口１２に植物栽培具５を差し込む。ここで使用する植物栽培具５は図３の植物栽培具と同じ形状、構造のものであり、それに吸水材１１が入れられ、植物が植えられている。縦通路２の差込口１２に差し込まれた植物栽培具５の吸水材１１の下端は、横通路１から縦通路２に送り込まれる栽培液内まで差し込まれて栽培液を吸水し、容器本体３に栽培されている植物に供給して、植物を栽培する。
【００２４】
（実施形態３）
本発明の植物栽培方法と植物栽培装置の第三の実施形態を図６、７に基づいて説明する。図６、７の植物栽培装置は、縦長の支柱３１の下端に十字形の支持脚３２が形成されて、支柱３１を立てることができるようにしてある。支柱３１には栽培容器３３が上下に間隔をあけて二段以上取付けられている。栽培容器３３内には蓋３４を脱着可能に嵌め込んである。蓋３４の中央部には液体落下孔３５が形成されており、液体落下孔３５の周囲に植物栽培具５を差し込み可能な差込口３６が複数個開口されている。
【００２５】
支柱３１には供給管３７が配管されており、供給管３７の上端から最上段の栽培容器３３に栽培液を供給できるようにしてある。上段の栽培容器３３内からは排出供給管３８が引き出され、上段の栽培容器３３内の液体が排出供給管３８により導出されて下段の栽培容器３３に供給されるようにしてある。栽培容器３３の数は所望数とすることができ、二以上であれば任意の数とすることができる。この場合、排出供給管３８の本数は栽培容器の数に合わせて設定する。
【００２６】
最下段の栽培容器３３内には小型のポンプ３９が配置されており、そのポンプ３９により、最下段の栽培容器３３内の液体が配給管３７に送り出されるようにしてある。前記ポンプ３９はタイマーにより駆動時刻と駆動時間長が制御されて、タイマーにセットしてある時刻になるとポンプ３９が自動的に作動し、最下段の栽培容器３３内の液体が配給管３７に送り出されて最上段の栽培容器３３に供給される。この供給はタイマーにセットされた時間長だけ継続し、その後は自動的に停止する。最上段の栽培容器３３内に液体が供給されて栽培容器３３内の液位が排出供給管３８の上面開口部まで上昇すると、栽培容器３３内の液体が上段の排出供給管３８に自動的に流れ込んで中段の栽培容器３３に供給される。この液体供給により中段の栽培容器３３内の液位が排出供給管３８の上面開口部まで上昇すると、栽培容器３３内の液体が上段の排出供給管３８に自動的に流れ込んで最下段の栽培容器３３に供給される。最下段の栽培容器３３内の液体はポンプ３９により配給管３７に送り出され、配給管３７から最上段の栽培容器３３に供給されて栽培液が循環するようにしてある。
【００２７】
本発明の植物栽培方法の第三の実施形態は、図６、７の植物栽培装置を使用して植物を栽培する方法である。この場合、栽培容器の蓋の孔に植物栽培具を差込む。ここで使用する植物栽培具５は図３の植物栽培具と同じ形状、構造のものであり、それに吸水材１１が入れられ、植物が植えられている。蓋３４の差込口３６に差し込まれた植物栽培具５の吸水材１１の下端は栽培容器３３内の栽培液内に浸されて栽培液を吸水し、容器本体３に栽培されている植物に給液して植物を栽培する。この場合、植物栽培具５を蓋３４に開口されている複数の差込口３６の全てに差し込んでも、一部の差込口３６に差し込んでもよい。
【００２８】
（その他の実施形態）
本発明の植物栽培方法と植物栽培装置と植物展示装置のその他の実施形態について説明する。前記各実施形態における、植物栽培装置及び植物展示装置の形態については、前記の各形態には限られず任意であって、育てる植物や数に合わせて、様々な形状や大きさの縦通路２、直線パイプ６及び連結パイプ７を用いることができる。従って、例えば設置状況に合わせて方向転換用の連結パイプを用いたり、植物栽培装置及び植物展示装置を網のように張り巡らせるために、三つ又や四つ又等複数に分かれたもの等、任意の水路パイプを用いたりすることができ、縦通路についても、栽培する植物の種類や栽培状況、鑑賞・展示用等の目的等に応じて、先の分かれたものや曲がったものを用いることもできる。
【００２９】
前記実施形態では、植物栽培具５内に入れた吸水材１１の下端部をパイプ４より下方に突出させ、その下端部を横通路１内の栽培液又は縦通路２内の栽培液に浸して植物を栽培していたが、吸水の方法はこれには限られず、吸水材の下端部をパイプより下方に突出させず、パイプの側面に穴をあけ、該穴の開いたパイプを、穴を横通路内の栽培液又は縦通路内の栽培液に浸し、パイプ内の吸水材に栽培液を吸水させて植物を栽培することも可能である。
【００３０】
前記実施形態２では、植物栽培装置は、上段の横通路１の下流端の縦通路２と、下段の横通路１の上流端の縦通路２とがコ字状の連通路２４で連通されて、上段の横通路１の下流端の縦通路２に流れ込んだ液体が下段の横通路１の上流端の縦通路２に自動的に流れ込むようにしてあるが、上下段の横通路を連通するものは該連通路には限られず、二方向用の連結パイプや直線パイプを組み合わせて連通すること等、他の方法によることも可能である。
【００３１】
【発明の効果】
本件出願の植物栽培方法は次のような効果を有する。
（１）植物が植えられた植物栽培具を差し入れるだけでその植物の水耕栽培が可能であり、従来の水耕栽培のような大掛かりな装置を必要とせずに水耕栽培を行うことができる。また、植物を水耕栽培しながら同時に展示することもできる。さらに、植物栽培具を差し換えるだけで、異なる植物を栽培したり、栽培しながら展示したりすることもできる。
（２）上段の横通路から下段の横通路へ栽培液を流し、最下段の横通路からの栽培液を最上段の横通路へ戻すので、栽培液を少ない圧力でスムーズに循環させることができる。
（３）支柱に設けられた栽培容器に植物が植えられた植物栽培具を差し入れるだけで、その植物の水耕栽培が可能となり、従来の水耕栽培のような大掛かりな装置を必要とせずに水耕栽培を行うことができる。また、植物を水耕栽培しながら同時に展示することもできる。さらに、植物栽培具を差し換えるだけで、異なる植物を栽培したり、栽培しながら展示したりすることもできる。
（４）上段の栽培容器から下段の栽培容器へ栽培液を流し、最下段の栽培容器からの栽培液を最上段の栽培容器へ戻すので、栽培液を少ない圧力でスムーズに循環させることができる。
（５）１本の支柱に栽培容器が二段以上設けられているので、少ないスペースであっても多くの植物の水耕栽培が可能である。
（６）植物栽培具内に入れた吸水材の下端を下方に突出させ、その下端部を栽培液に浸して植物を栽培するので、栽培液の水位が低くても確実な吸水が確保され、少ない栽培液で水耕栽培が可能となる。また、栽培液が少なくて済むので、栽培液のコスト減を実現することができる。
【００３２】
本件出願の植物栽培装置は次のような効果を有する。
（１）植物が植えられた植物栽培具を差し入れるだけでその植物の水耕栽培が可能であり、従来の水耕栽培のような大掛かりな装置を必要とせずに水耕栽培を行うことができる。また、植物を水耕栽培しながら同時に展示することもできる。さらに、植物栽培具を差し換えるだけで、異なる植物を栽培したり、栽培しながら展示したりすることもできる。
（２）装置全体がパイプ状の通路を組み合せて構成されるため、構造が簡単で、組立及び分解も容易である。
（３）パイプ状の通路の組み合わせを変えるだけで、様々なバリエーションの植物栽培装置を実現することができる。従って、栽培する植物に応じたより好適な植物栽培装置を容易に形成することができる。
（４）栽培液を上から下へ自然に流下させ、ポンプは下から上に栽培液を揚げる場合にのみ使用するので、小型のポンプであっても栽培液をスムーズに循環させることができ、ポンプをはじめとする周辺機器の小型化はもちろん、装置全体の小型化も実現される。
（５）立体的な構成のため、スペースが少なくても多数の植物の水耕栽培が可能となる。また、縦通路を動かせば、植物を手入れ等に適した所望の向きにすることもできる。
（６）１本の支柱に栽培容器が二段以上設けられているので、少ないスペースであっても、多数の植物を水耕栽培することができる。
（７）ポンプをタイマーによって制御できるので、無駄な栽培液の循環がなく、栽培液のコスト減及びポンプの無駄な動作を減らすことができる。
【００３３】
本件出願の植物展示装置は次のような効果を有する。
（１）植物を水耕栽培しながら同時に展示することができる。さらに、植物栽培具を差し換えるだけで、植物を容易に交換することができる。
（２）装置全体がパイプ状の部材を組み合せて構成されるため、構造が簡単で、組立及び分解も容易である。
（３）パイプ状の通路の組み合わせを変えるだけで、様々なバリエーションの植物栽培装置を実現することができる。従って、栽培する植物や展示スペース等に応じたより好適な植物展示装置を容易に実現することができる。
（４）植物栽培具を簡単に着脱可能なため、展示中の植物を簡単に入れ替えたり、移動させることができる。
（５）栽培液を上から下へ自然に流下させ、ポンプは下から上に栽培液を揚げる場合にのみ使用するので、小型のポンプであっても栽培液をスムーズに循環させることができ、ポンプをはじめとする周辺機器の小型化はもちろん、装置全体の小型化も実現される。
（６）立体的な構成のため、スペースが少なくても多数の植物の展示が可能となる。また、縦通路を動かせば、展示の状況にあわせて植物の向きを変えたり、手入れ等がし易い向きに変えたりすることもできる。
（７）装置全体が１本の支柱と所望数の栽培容器とを組み合せて構成されるため、構造が簡単で、組立及び分解も容易である。
（８）装置本体が１本の支柱を中心に形成されているので、少ないスペースであっても、多数の植物を展示することができる。
（９）ポンプをタイマーによって制御できるので、無駄な栽培液の循環がなく、栽培液のコスト減及び、ポンプの無駄な動作を減らすことができる。
【図面の簡単な説明】
【図１】本発明の植物栽培装置の実施形態の１つを示した斜視図。
【図２】図１に示す植物栽培装置の横通路と縦通路の構造を示した斜視図。
【図３】（ａ）（ｂ）は図１に示す植物栽培装置の実施のための植物栽培具を示した斜視図。
【図４】図１に示す植物栽培装置の実施形態の１つを示した断面図。
【図５】本発明の植物栽培装置の実施形態の他の１つを示した斜視図。
【図６】本発明の植物栽培装置の実施形態のその他の１つを示した斜視図。
【図７】図６に示す植物栽培装置の反対側の側面を示した斜視図。
【符号の説明】
１  横通路
２  縦通路
３  容器本体
４  パイプ
５  植物栽培具
６  直線パイプ
７  連結パイプ
８  中央部
９  連結部
１１  吸水材
１２  差込口
２３  フレーム
２４  連通路
３１  支柱
３３  栽培容器
３４  蓋
３７  供給管
３８  排出供給管
３９  ポンプ
【図１】
2004154084.tif 000003
【図２】
2004154084.tif 000004
【図３】
2004154084.tif 000005
【図４】
2004154084.tif 000006
【図５】
2004154084.tif 000007
【図６】
2004154084.tif 000008
【図７】
2004154084.tif 000009